(57)【要約】【課題】設置スペースを広く取る必要がなく、汎用性を有し、様々な径の容器に対応でき、側面に凹部を有する容器であっても取り出し時に凹部に引っかかることのない保持構造を提供する。【解決手段】収納部の深さ方向に回転自在に軸支されたローラーが連結され、収納部に対し付勢状態で突出可能にスプリングを介して保持されたアームがホルダーに軸支されており、容器が挿入されると付勢力によりスプリングが圧縮されアームが軸を中心に回動する。また、容器の抜き出し時、容器側面の凹部にアームが係合して引っかかっても、ローラーが深さ方向に回転することによりアームの引っ掛かりを解除してスムーズに抜き出すことができる。【選択図】  図４
2008195159.tif 000002
【特許請求の範囲】
【請求項１】
容器を収納するカップホルダの保持構造において、
容器を収納する収納部と、
収納部の側壁に設けられた穴から突出して、容器の側面に当接し、容器を保持する保持部とからなり、
前記保持部は収納部の外側に配置されるホルダーと、下端部がスプリングを介してホルダーに軸支される軸部を有するアームと、前記アームの上端部に収納部の深さ方向に回転自在に保持された回転部材とよりなり、
前記ホルダーには軸部を中心とした円周に沿って湾曲形成されたガイド溝が設けられており、一方前記アームにはガイドピンが設けられており、前記アームがガイド溝に沿って軸部を中心に回動可能であることを特徴とする保持構造。
【請求項２】
前記アームの軸部にはホルダーに設けられた挿入孔と連通可能に貫通した軸穴が設けられており、挿入孔と軸穴とに連結ピンが挿入されてアームがホルダーに軸支されることを特徴とする請求項１に記載の保持構造。
【発明の詳細な説明】
【技術分野】
【０００１】
本発明は車両等に設けられた、容器を保持するためのカップホルダの保持構造に関するものである。
【背景技術】
【０００２】
従来より、単一のカップホルダで様々な大きさの容器を収納、保持可能なカップホルダ及びその保持構造が知られている。また、容器の側面に凹部を有するものであっても容器の取り出し時に保持部が凹部に引っかかることがないように、容器の側壁形状にフレキシブルに対応可能となるように検討された保持装置も知られている。
【特許文献１】特開２００２−２９３０４号公報
【発明の開示】
【発明が解決しようとする課題】
【０００３】
図６に示すように、特許文献１に記載の保持装置では出没部材１００を付勢するバネ１０１が出没部材の突出方向に伸縮可能に配置されており、更に出没部材に回動可能なローラー１０２を取付け、容器と保持部の摺動抵抗を減少させたものが開示されている。しかしながら、この保持構造においては、出没部材が移動する距離分の設置スペースが必要となり、保持構造が大型化するといった問題がある。また、容器の抜き出し方向と交差する方向に出没部材が付勢されているので、側壁に凹部を有する容器の場合、出没部材が凹部に引っかかり易く、また引っかかった場合にも係合を解除し辛く、容器を取り出すことが困難となる恐れがあった。
【０００４】
そこで、本発明は設置スペースを広く取る必要が無く、容器の側面に凹部があっても抜き出し時に保持部が凹部に引っかかることのない、使い勝手の良い保持構造を提案するものである。
【課題を解決するための手段】
【０００５】
上記課題を解決するために請求項１に記載の発明では、容器を収納するカップホルダの保持構造において、容器を収納する収納部と、収納部の側壁に設けられた穴から突出して、容器の側面に当接し、容器を保持する保持部とからなり、前記保持部は収納部の外側に配置されるホルダーと、下端部がスプリングを介してホルダーに軸支される軸部を有するアームと、前記アームの上端部に収納部の深さ方向に回転自在に保持された回転部材とよりなり、前記ホルダーには軸部を中心とした円周に沿って湾曲形成されたガイド溝が設けられており、一方前記アームにはガイドピンが設けられており、前記アームがガイド溝に沿って軸部を中心に回動可能であることを特徴とする。
【０００６】
この保持構造によるとアームは軸部を中心にした方向に回動可能であり、従来の出没部材のように突出距離分のスペースを必要としない。よって省スペースな保持構造とすることができる。また、ガイド溝及びガイドピンを設けることによりアームの回動範囲及び軌跡を規制でき、操作性の高い保持構造とすることができる。更に、回転部材が湾曲回動するアームに保持されているため、容器の側面に凹部があり、回転部材が凹部に引っかかった場合でも回転部材が深さ方向に回転することにより係合を解除でき、容易に抜き出すことができる。よって、使い勝手の良い保持構造とすることができる。
【０００７】
また、本発明の保持構造において、アームの軸部はホルダーの側壁に設けられた挿入孔と連通可能に貫通した軸穴が設けられており、挿入孔と軸穴とに連結ピンが挿入されて軸支されることを特徴とする。この構造によると、ホルダーにアームを連結する作業がピンの差込みという簡単な動作で行なうことができ、従来の保持構造に比べ組み立て作業性が格段に向上する。
【発明の効果】
【０００８】
以上、本発明によると、簡単な構成で取付作業が簡略化でき、機能性の高い保持構造を提供することができる。
【発明を実施するための最良の形態】
【０００９】
以下、本発明の保持構造ついて図に基づいて説明する。
【００１０】
図１は、本発明の保持構造が設けられた車室内に装備されるカップホルダ１を上方から見たものであり、図２はその側面視を示すものである。また、図３に図１のＡ−Ａ断面図を示す。カップホルダ１は容器を収納するための上方が開放され有底の収納部１０と、収納部の外側に装備された保持部２０とからなる。保持部２０は収納部１０の外側に設けられた固定部３０に複数（本実施例では周上に対となって４箇所）取り付けられ、収納部１０の側壁に形成された穴１１から回転部材としてのローラー４が収納部に突出している。
【００１１】
図４に保持部２０の分解図及びカップホルダ１への取付構造を示す。保持部２０はホルダー２と、ホルダーに下端が軸支され上部が遊動可能なアーム３と、アーム３の上端部に連結されるローラー４とからなる。ホルダー２は一面が開放されて断面略コの字状を成しており、開放された側からアーム３が装着可能となっている。また、ホルダーの側壁には挿入されたアーム３を連結するための挿入孔２１及びガイド溝２２がそれぞれ設けられている。このガイド溝２２は挿入されたアーム３の回動方向に沿うように形成されている。ホルダー２の側壁上部には側壁から外側に取付穴２４を有する取付部２３が延出している。ホルダー２は取付部２３に設けられた取付穴２４により図示しないネジ等により固定部３０に取付可能となっている。一方、アーム３は軸部３１と軸部の上方に一体化して回転部３２が設けられている。軸部３１にはホルダー２の挿入孔２１に対応して軸孔３４が軸部を貫通して設けられており、また、ホルダーのガイド溝２２に対応してガイドピン３３が突出形成されている。回転部３２は一部が切り欠かれた略円板状を成し、左右に間隔を有して一対に設けられ、それぞれ中心に回転孔３５を有している。
【００１２】
左右一対の回転部３２の間には回転部材としてのローラー４が挿入され、ローラーに設けられた回転ピン４１が回転孔３５に挿入されることにより、ローラー４がアーム３に装着され一体化される。このローラー４が一体化されたアーム３をホルダー２の開放側からホルダー２の側壁をたわませて挿入し、ホルダー２の側壁に設けられたガイド孔２２にアーム３のガイドピン３３を挿入させる。また、ホルダーの挿入孔２１と、アームの軸穴３４を連通させ、ホルダー２の側壁の外側から連結ピン５を挿入して、ホルダー２とアーム３及びローラー４が一体化されたユニット状の保持部２０とする。連結ピン５の挿入時、軸部３１の内部にスプリング６を介装してホルダー２とアーム３を連結し、アーム３が常時前方側へ付勢されるようにする。なお、ユニット状へと連結する順番は先にホルダー２とアーム３を一体化し、その後ローラー４をアーム３に取り付けても良い。
【００１３】
このように一体ユニット化された保持部２０を収納部１０の外側に設けた固定部３０に取り付ける。固定部３０は円筒状をなしホルダー２の取付部２３に設けられた取付穴２４に対応して設けられており、この固定部３０に取付穴２４を合わせてネジ止め等により保持部２０を固定部３０に取り付けることができる。また固定部３０に対応して、収納部１０には穴１１が形成されており、軸部３１に装着されたスプリング６により収納部１０側へ付勢されたアーム３に取付けられたローラー４が収納部１０に表出する。このローラー４は中央に突出形成された回転ピン４１を中心に収納部１０内で収納部１０の深さ方向に回転自在となっている。
【００１４】
この保持部２０をカップホルダ１に使用した場合について説明する。収納部１０の上方からペットボトル等の容器が挿入されると、容器の底部が収納部１０内に突出しているローラー４の一部に当接する。更に容器が挿入されると、ローラー４との接点を介してアーム３に挿入力が伝わり、アーム３を収納部１０の方向へ付勢するスプリング６が圧縮され、アーム３は連結ピン５を中心にして収納部１０とは反対側へ回動する。この時、ホルダー２のガイド溝２２内において収納部１０側（前端部とする）に位置しているガイドピン３３が、ガイド溝２２に沿って収納部１０とは反対側の溝端部（後端部とする）にまで移動して、アーム３の回動を誘導する。容器が挿入された状態を図５に示す。アーム３の回動量はホルダー２に回転部３２が当接することで規制されており、自在な回動は抑制される。この容器の挿入に伴い、ローラー４が回動ピン４１を中心に下方向へ回転する力が生じるため、挿入荷重を低減することもできる。挿入された容器はその側壁をスプリング６により付勢されたアーム３及びローラー４により確実に保持される。また、この保持構造が収納部１０の側壁に沿って、対となって複数設けられているため一層保持力を高めることができる。この保持構造によると、挿入される容器の大きさに応じてスプリング６の圧縮量及びアーム３の回動量が調整されるので、様々な大きさの容器にフレキシブルに対応することができる。また、アーム３の回動方向を軸部を中心とした回転方向に変換できるので、ホルダー２を必要最低限の大きさとすることができ、保持構造を従来のものより小さくすることができる。更に、挿入の際にローラー４が下方へ回転するので挿入荷重を下げることができる。
【００１５】
一方、収納された容器を抜き出す場合には、挿入された容器により作用していたスプリング６の圧縮が開放され、アーム３が連通ピン５を中心に収納部１０側へ回動する。この時、後端部に位置するガイドピン３３がガイド溝２２に沿って前端部に移動し、アーム３の回動をガイドする。アーム３が回動するのと同時にローラー４が上方へ回転して容器の側面を押し上げるので抜き出し作業も楽に行なうことができる。
【００１６】
また、容器の側面に凹部があり、容器の抜き出し時、凹部に保持部２０が引っかかった場合につき説明する。凹部内に付勢されたアーム３及びローラー４が嵌まった状態で、更に引き抜きを継続すると、凹部の下側面とローラー４が当接し、アーム３をスプリング６の圧縮方向へ押し込む力が発生すると共に、ローラー４の回転ピン４１に引抜力が伝達され、ローラー４自身の上方への回転力が発生し、ローラー４が凹部との当接面を滑るように回転することにより引っかかり係合を解除できる。よって、凹部を有する容器であってもスムーズに抜き出すことができる。
【００１７】
以上、説明してきたように本発明の保持構造によると、ユニット状の保持構造を取付けることで様々なカップホルダーに適用でき汎用性が高く、使い勝手の良いものとすることができる。また、アームの回動方向を軸部を中心とした回転方向に変換できるので、ホルダーを必要最低限の大きさとすることができ、従来の保持構造より小さくすることができる。実施例においては回転部材を円形のローラーとしたが、これに限られるものではなく、深さ方向に回転することのできるものであれば、例えば多角形形状のものであっても良い。
【図面の簡単な説明】
【００１８】
【図１】本発明の保持構造を備えたカップホルダの斜視図である。
【図２】本発明の保持構造を備えたカップホルダの側面図である。
【図３】図１のＡ−Ａ断面図である。
【図４】本発明の保持構造の分解図である。
【図５】本発明の保持構造を備えたカップホルダの使用状態を示す。
【図６】従来技術の保持装置。
【符号の説明】
【００１９】
１・・・カップホルダ、１１・・・穴、１０・・・収納部、２０・・・保持部、３０・・・固定部、２・・・ホルダー、３・・・アーム、４・・・ローラー、５・・・連結ピン、６・・・スプリング
【図１】
2008195159.tif 000003
【図２】
2008195159.tif 000004
【図３】
2008195159.tif 000005
【図４】
2008195159.tif 000006
【図５】
2008195159.tif 000007
【図６】
2008195159.tif 000008